(57)【要約】【課題】笠木部材下の内方空間や通気用隙間への雨水の浸入を、安価でシンプルな構造によって確実に防止する。【解決手段】その側面に通気用隙間４を介して側面パネル３が固定された立上がり壁部１の上部に取り付けられる笠木装置において、立上がり壁部１に固定される笠木用取付具２と、笠木用取付具２に固定され立上り壁部１の上端を覆う天板部１１と天板部１１から側面パネル３の外面３ｂに沿って下方に伸びる側板部１２とを備えた笠木部材１０と、笠木部材１０の側板部１２に固定される補助部材２０とを備え、補助部材２０は、笠木部材１０と立上がり壁部１の上面１ｂ又は笠木部材１０と側面パネル３の上面３ｃ又は外面３ｂとの間に形成された内方空間５と外部の空間とを仕切る隔壁部２４と、その隔壁部２４に形成された通気孔２３とを備える笠木装置とした。【選択図】図１
2017115473.tif 000002
【特許請求の範囲】
【請求項１】
その側面に通気用隙間（４）を介して側面パネル（３）が固定された立上がり壁部（１）の上部に取り付けられる笠木装置において、
前記立上がり壁部（１）に固定される笠木用取付具（２）と、
前記笠木用取付具（２）に固定され前記立上り壁部（１）の上端を覆う天板部（１１）と前記天板部（１１）から前記側面パネル（３）の外面（３ｂ）に沿って下方に伸びる側板部（１２）とを備えた笠木部材（１０）と、
前記笠木部材（１０）に固定される補助部材（２０）と、
を備え、
前記補助部材（２０）は、前記笠木部材（１０）と前記立上がり壁部（１）の上面（１ｂ）又は前記笠木部材（１０）と前記側面パネル（３）の上面（３ｃ）又は外面（３ｂ）との間に形成された内方空間（５）と外部の空間とを仕切る隔壁部（２４）と、その隔壁部（２４）に形成された通気孔（２３）とを備える笠木装置。
【請求項２】
前記笠木部材（１０）と前記補助部材（２０）のいずれか一方に係合爪（１２ａ，１２ｂ）を他方に被係合部（２１ａ，２１ｂ）を備え、前記係合爪（１２ａ，１２ｂ）と被係合部（２１ａ，２１ｂ）との係合によって前記笠木部材（１０）の側板部（１２）の内面側に前記補助部材（２０）が固定されている請求項１に記載の笠木装置。
【請求項３】
前記補助部材（２０）は、前記側板部（１２）の内面に沿う縦方向部材（２１）と前記側面パネル（３）の上面に沿う横方向部材（２２）とを備え、前記隔壁部（２４）は前記横方向部材（２２）によって構成されている請求項１又は２に記載の笠木装置。
【請求項４】
前記通気孔（２３）は、その通気孔（２３）の開口部を臨む前記隔壁部（２４）の平面視において、前記隔壁部（２４）のいずれかの側に前記通気孔（２３）の開口部の領域の一部又は全部に重なる覆い部材（２３ａ）を備える
請求項３に記載の笠木装置。
【請求項５】
前記補助部材（２０）は、前記天板部（１１）の内面又は前記側板部（１２）の内面に向かって突出する第一のフィン（Ａ）を備え、前記笠木部材（１０）は、前記補助部材（２０）に向かって突出する第二のフィン（Ｂ）を備え、前記第一のフィン（Ａ）と前記第二のフィン（Ｂ）とによって通気用の屈曲通路が形成されている請求項１から４のいずれか一つに記載の笠木装置。
【請求項６】
前記第一のフィン（Ａ）は前記横方向部材（２２）の上面に形成されており、前記第二のフィン（Ｂ）は前記天板部（１１）の下面又は前記側板部（１２）の内面に形成されている請求項５に記載の笠木装置。
【請求項７】
前記第二のフィン（Ｂ）は前記側板部（１２）の内面に形成されて前記通気孔（２３）の上方を覆うように横方向へ伸びており、前記第二のフィン（Ｂ）はその内側端部に下方に向かって突出する雨水返し部（Ｃ）を備える請求項６に記載の笠木装置。
【請求項８】
前記補助部材（２０）は、前記側板部（１２）の内面に沿う縦方向部材（２１）と前記側面パネル（３）の上面に沿う横方向部材（２２）とを備え、前記横方向部材（２２）の内側縁は、前記立上がり壁部（１）の前記通気用隙間（４）側の側面（１ａ）よりも外側に位置して、前記横方向部材（２２）の内側縁よりも内側で前記内方空間（５）と前記通気用隙間（４）とが連通している請求項１又は２に記載の笠木装置。
【請求項９】
前記補助部材（２０）は、前記側板部（１２）の内面に沿う縦方向部材（２１）と前記側面パネル（３）の上面に沿う横方向部材（２２）とを備え、前記横方向部材（２２）の内側縁は、前記立上がり壁部（１）の前記通気用隙間（４）側の側面（１ａ）よりも内側に位置して、前記横方向部材（２２）に形成された第二の通気孔（２５）を通じて前記内方空間（５）と前記通気用隙間（４）とが連通している請求項１又は２に記載の笠木装置。
【発明の詳細な説明】
【技術分野】
【０００１】
この発明は、バルコニやベランダ等に設けられるパラペットや腰壁等、建物の立上り壁部の上端に取り付けられる笠木装置に関するものである。
【背景技術】
【０００２】
バルコニやベランダ等、建造物の各所にはパラペットや腰壁等の立上り壁部が設けられる。この立上り壁部は、床面から一定の高さまで立ち上がる壁体であり、人が乗り越えることができないようにする機能や、その壁体の上端からさらに上部へ向かって伸びる支柱等を支える機能を有する。一般的には、立上り壁部は、コンクリート、モルタルや木材等によって構成されているものが多い。
【０００３】
立上り壁部の上端には、その立上り壁部の躯体を覆う笠木装置が取り付けられる場合がある。笠木装置は、立上り壁部の上面に、その立上り壁部の伸びる方向（以下、壁方向と称する。）に沿って所定間隔でビス止め等により固定される笠木用取付具と、その笠木用取付具に対して嵌め込み等によって固定される笠木部材とを備える。
【０００４】
笠木部材は、立上り壁部の上端を、その立上り壁部の厚さ方向（以下、奥行方向と称する。）全域に亘って覆う天板部と、その天板部の奥行方向に対する両端から下方に伸びる側板部とを備える断面コ字状を成す部材である（例えば、特許文献１参照）。
【０００５】
ところで、立上り壁部の側面には、化粧用の側面パネルが取り付けられる場合がある。この側面パネルは、立上がり壁部の側面との間に、通気により湿気を排出することを目的とする通気用隙間を介在させた状態に取り付けられる。通気用隙間は、立上り壁部の躯体周辺に湿気が滞留することを防止するほか、この通気用隙間を建造物の室内空間と連通させることにより、換気の機能の一部を担わせている例もある。
【０００６】
このような側面パネル付きの立上り壁部では、笠木装置を取り付けた場合に、通気用隙間内にどのようにして外気を取り入れるか、あるいは、通気用隙間内の空気をどのようにして外部へ排出するかが問題となる。
【０００７】
そこで、例えば、特許文献２の技術では、笠木部材の天板部と両側の側板部とで囲まれた内方空間を、立上り壁部の奥行方向外方側の端部と内方側の端部において、それぞれ外部の空間と連通させ、また、奥行方向中間部においても、内方空間と通気用隙間との間で連通させている。さらに、笠木部材下の内方空間には、笠木部材とは別部材からなる覆い部材を配置し、その覆い部材が備える蛇行通路を介して、内方空間と外部の空間を連通させている。
【０００８】
また、特許文献３の技術では、笠木部材の内方空間に、多数の小さな通気孔を有する換気部材を設け、その換気部材を介して、通気用隙間と内方空間や外部の空間とを連通させている。
【先行技術文献】
【特許文献】
【０００９】
【特許文献１】特開２００３−２６２０１８号公報
【特許文献２】特開２００７−１３８４２２号公報
【特許文献３】特開２０１４−９５８６号公報
【発明の概要】
【発明が解決しようとする課題】
【００１０】
従来の笠木装置によれば、笠木部材下の内方空間内に雨水等が入り込む可能性がある。これは、側板部の下端は天板部よりも下方に位置しているものの、風によって雨水が下方から上方へ舞い上がることもあるからである。内方空間に雨水が浸入すると、その雨水は通気用隙間へも浸入する。通気用隙間への雨水の浸入は、立上り壁部や化粧用の側面パネルの劣化の原因となるので好ましくない。
【００１１】
この点、特許文献２、３の技術によれば、笠木部材下の内方空間に笠木部材とは別部材からなる覆い部材や換気部材を配置しているので、雨水の浸入は抑制される。しかし、笠木部材とは別部材からなる覆い部材や換気部材を、立上り壁部の横方向に沿って配置することは作業の繁雑化をもたらし、コスト高の原因になるという問題がある。また、覆い部材や換気部材はその形状が複雑であるので、この点においてもコスト高の要因となる。
【００１２】
そこで、この発明の課題は、笠木部材下の内方空間や通気用隙間への雨水の浸入を、安価でシンプルな構造によって確実に防止することである。
【課題を解決するための手段】
【００１３】
上記の課題を解決するために、この発明は、その側面に通気用隙間を介して側面パネルが固定された立上がり壁部の上部に取り付けられる笠木装置において、前記立上がり壁部に固定される笠木用取付具と、前記笠木用取付具に固定され前記立上り壁部の上端を覆う天板部と前記天板部から前記側面パネルの外面に沿って下方に伸びる側板部とを備えた笠木部材と、前記笠木部材に固定される補助部材と、を備え、前記補助部材は、前記笠木部材と前記立上がり壁部の上面又は前記笠木部材と前記側面パネルの上面又は外面との間に形成された内方空間と外部の空間とを仕切る隔壁部と、その隔壁部に形成された通気孔とを備える笠木装置を採用した。
【００１４】
このとき、前記笠木部材と前記補助部材のいずれか一方に係合爪を他方に被係合部を備え、前記係合爪と被係合部との係合によって前記笠木部材の側板部の内面側に前記補助部材が固定されている構成を採用することができる。
【００１５】
また、前記補助部材は、前記側板部の内面に沿う縦方向部材と前記側面パネルの上面に沿う横方向部材とを備え、前記隔壁部は前記横方向部材によって構成されている構成を採用することができる。
【００１６】
ここで、前記通気孔は、その通気孔の開口部を臨む前記隔壁部の平面視において、前記隔壁部のいずれかの側に前記通気孔の開口部の領域の一部又は全部に重なる覆い部材を備える構成を採用することができる。
【００１７】
これらの各態様において、前記補助部材は、前記天板部の内面又は前記側板部の内面に向かって突出する第一のフィンを備え、前記笠木部材は、前記補助部材に向かって突出する第二のフィンを備え、前記第一のフィンと前記第二のフィンとによって通気用の屈曲通路が形成されている構成を採用することができる。
【００１８】
このとき、前記第一のフィンは前記横方向部材の上面に形成されており、前記第二のフィンは前記天板部の下面又は前記側板部の内面に形成されている構成を採用することができる。
【００１９】
また、前記第二のフィンは前記側板部の内面に形成されて前記通気孔の上方を覆うように横方向へ伸びており、前記第二のフィンはその内側端部に下方に向かって突出する雨水返し部を備える構成を採用することができる。
【００２０】
前記補助部材は、前記側板部の内面に沿う縦方向部材と前記側面パネルの上面に沿う横方向部材とを備え、前記横方向部材の内側縁は、前記立上がり壁部の前記通気用隙間側の側面よりも外側に位置して、前記横方向部材の内側縁よりも内側で前記内方空間と前記通気用隙間とが連通している構成を採用することができる。
【００２１】
あるいは、前記補助部材は、前記側板部の内面に沿う縦方向部材と前記側面パネルの上面に沿う横方向部材とを備え、前記横方向部材の内側縁は、前記立上がり壁部の前記通気用隙間側の側面よりも内側に位置して、前記横方向部材に形成された第二の通気孔を通じて前記内方空間と前記通気用隙間とが連通している構成を採用することができる。
【発明の効果】
【００２２】
この発明は、通気用隙間を介して側面パネルが取り付けられた立上り壁部の上部を覆う笠木部材に、その笠木部材とは別部材からなる補助部材を固定し、その補助部材が備える隔壁部に形成された通気孔によって、笠木部材下の内方空間や通気用隙間と外部の空間との間の通気を確保するようにしたので、通気用隙間への雨水の浸入を、安価でシンプルな構造によって確実に防止することができる。
【図面の簡単な説明】
【００２３】
【図１】この発明の第一の実施形態を示す断面図
【図２】（ａ）は同実施形態の要部を示す斜視図、（ｂ）は通気孔付近の拡大平面図
【図３】（ａ）は第二の実施形態、（ｂ）は第三の実施形態を示す断面図
【図４】第四の実施形態を示す断面図
【発明を実施するための形態】
【００２４】
この発明の第一の実施形態を、以下、図面に基づいて説明する。図１及び図２は、第一の実施形態を示している。
【００２５】
この発明の笠木装置は、建物の居室に隣接するバルコニやベランダに設けられるパラペットや腰壁等の立上り壁部１を、その設置の対象としている。立上り壁部１は、床面から概ね人に身長よりも低い一定の高さまで立ち上がる壁体である場合が多いが、笠木装置を適用する壁体の高さは自由である。また、立上り壁部の躯体は、コンクリート、モルタルや木材等、種々の素材であってよい。
【００２６】
笠木装置は、その側面１ａに通気用隙間４を介して側面パネル３が固定された立上がり壁部１の上部に取り付けられる。立上り壁部１の側面１ａには、その立上り壁部１の伸びる方向（前記壁方向）に沿って所定の間隔でパネル支持体（図示せず）がアンカボルト等により取り付けられている。側面パネル３は、そのパネル支持体に対してビス止め等により固定される。
【００２７】
パネル支持体は、立上り壁部１の側面１ａの面方向に対して、上下方向に所定の長さを有する棒状又は軸状の部材である。パネル支持体の介在により、側面パネル３の内面３ａと立上り壁部１の側面１ａとの間に、所定幅の通気用隙間４が形成される。
【００２８】
パネル支持体６の上下方向長さは、立上り壁部１の立ち上がり高さよりも短いか、あるいは、その上下方向の途中で断続的に設けられているので、パネル支持体６を挟んで両側の通気用隙間４同士は、空気が行き来できるように連通している。
【００２９】
この実施形態は、立上り壁部１の外方側（建物の居室から遠い側）の側面１ａ、内方側（建物の居室から遠い側）の側面１ａのそれぞれに、側面パネル３や通気用空間４が備えられているが、いずれか一方側にのみ側面パネル３や通気用空間４を備えた立上り壁部１であってもよい。
【００３０】
笠木装置は、立上り壁部１の上面１ｂに、その壁方向に沿って所定間隔でビス２ｃ等により固定される笠木用取付具２と、その笠木用取付具２に対して嵌め込み等によって固定される笠木部材１０とを備える。
【００３１】
笠木用取付具２は、立上り壁部１の上面１ｂに接する基板部２ａと、笠木部材１０に対する係合用爪部２ｂ、笠木部材１０を立上り壁部１の厚さ方向（前記奥行方向）の中ほどで保持する間隔保持部２ｄを備える。ビス２ｃは、基板部２ａを上下に貫通して立上り壁部１の上面にネジ込まれる。
【００３２】
笠木部材１０は、立上り壁部１の上端を奥行方向全域に亘って覆う天板部１１と、その天板部１１の奥行方向に対する両端から下方に伸びる側板部１２とを備える断面コ字状を成す部材である。また、笠木部材１０は、立上り壁部１の壁方向に沿って所定の長さを有する長手状の部材である。
【００３３】
側板部１２は、天板部１１の奥行き方向両端から、側面パネル３の外面３ｂに沿って下方に伸びるので、その下端は、立上り壁部１の上端よりも低い位置となっている。側板部１２の下端と立上り壁部１の上端との高低差は、概ね数センチメートル程度であるが、この高低差は、施設の仕様に応じて適宜決定される。
【００３４】
笠木部材１０は、天板部１１の下面に、笠木用取付具２の係合用爪部２ｂに噛み合う被係合部１３を備えているので、係合用爪部２ｂと被係合部１３との係合により、笠木部材１０は笠木用取付具２に固定できる。このため、予め、笠木用取付具２を立上り壁部１の上面に固定しておけば、笠木部材１０は簡単に立上り壁部１に取り付けできる。図中の符号２ｄは、天板部１２の高さを保持するための間隔保持部１２ｄである。
【００３５】
笠木部材１０には、その笠木部材１０とは別部材からなる補助部材２０が取り付けられる。笠木部材１０は、予め補助部材２０が取り付けられた状態で、立上り壁部１に取り付けられることとなる。
【００３６】
補助部材２０は、笠木部材１０の内面側に固定されるようになっている。笠木部材１０は、側板部１２の内面と天板部１１の下面に対の係合爪１２ａ，１２ｂを備え、補助部材２０は、その上端と下端に対の被係合部２１ａ，２１ｂを備える。
【００３７】
この実施形態では、補助部材２０は、側板部１２の内面に沿う縦方向部材２１と、その縦方向部材２１の上下方向中途部分から突出し、側面パネル３の上面３ｃに沿う横方向部材２２とを備える断面Ｔ字状の部材となっているので、被係合部２１ａ，２１ｂは、縦方向部材２１の上端と下端に設けられている。図中の符号２１ｃは、側板部１２の位置を保持するための間隔保持部２１ｃである。
【００３８】
係合爪１２ａ，１２ｂと被係合部２１ａ，２１ｂとの係合によって、笠木部材１０の側板部１２の内面側に補助部材２０が固定される。この固定は、笠木部材１０の笠木用取付具２への固定と同様、工具等を用いることなくワンタッチで可能である。
【００３９】
また、側面パネル３の上面３ｃと、補助部材２０の横方向部材２２の下面との間には、止水用のシーリング材Ｐが配置されている。このため、側面パネル３と補助部材２０との間の隙間に雨水が入り込むことが防止される。シーリング材Ｐは水密性を有する素材であり、補助部材２０の横方向部材２２の下面に接着固定される。
【００４０】
なお、この実施形態では、補助部材２０は、笠木部材１０の側板部１２の内面に固定されるようになっているが、この補助部材２０を、天板部１１の下面に固定してもよいし、側板部１２の内面と天板部１１の下面とに跨って固定されるようにしてもよい。
【００４１】
また、補助部材２０は、笠木部材１０と立上がり壁部１の上面１ｂ又は笠木部材１０と側面パネル３の上面３ｃとの間に形成された内方空間５と、その笠木部材１０の外部の空間とを仕切る隔壁部２４を備える。隔壁部２４は、その隔壁部２４を貫通するように形成された通気孔２３を備える。
【００４２】
この実施形態では、隔壁部２４は横方向部材２２によって構成されている。このため、通気孔２３は、横方向部材２２に形成されている。また、ここでは、笠木部材１０の下の内方空間５として、隔壁部２４よりも上方、すなわち、笠木部材１０と立上がり壁部１の上面１ｂ及び笠木部材１０と側面パネル３の上面３ｃとの間の空間が設定されているが、内方空間５をやや拡げて、笠木部材１０と側面パネル３の外面３ｂとの間の空間も内方空間５の一部としてもよい。この場合は、隔壁部２４は、横方向部材２２よりも下方に別途設けられ、同じく、その隔壁部２４よりも上方が内方空間５となる。
【００４３】
通気孔２３は、図２（ｂ）に示すように、その通気孔２３の開口部を臨む隔壁部２４の平面視において、隔壁部２４のいずれかの側に通気孔２３の開口部の領域の一部又は全部に重なる覆い部材２３ａを備える。覆い部材２３ａは、通気孔２３の上方に設けられることが望ましいが、通気孔２３の下方であってもよい。雨水が下方から上方に舞い上がった際、雨水は覆い部材２３ａに当たって跳ね返され、内方空間５内への浸入が阻止される。
【００４４】
覆い部材２３ａは、隔壁部２４に通気孔２３を形成する際に、同時に形成されるようになっている。ここでは、通気孔２３をプレス加工により形成している。そのプレス加工の際に、プレス型で隔壁部２４の板面を衝撃をもって叩くことにより、素材の一部を切断及び塑性変形させ、図２（ａ）（ｂ）に示すような通気孔２３の開口部を形成するとともに、その開口部を覆う覆い部材２３ａを形成している。このとき、覆い部材２３ａの端縁は、通気孔２３の縁よりも、距離ｗ１，ｗ２だけ後退した位置となるので、雨水の浸入を防止しながらも適度な通気性を確保している。
【００４５】
図２（ａ）（ｂ）に示すように、覆い部材２３ａは、奥行方向に沿って内側の縁は、その全長に亘って隔壁部２４に接続されており、奥行方向に沿って外側の縁は、その全長に亘って隔壁部２４とは分離した状態で開口部の一部を形成している。このように、覆い部材２３ａは、通気用隙間４から遠い側である奥行き方向外側を開放するように形成することが望ましい。
【００４６】
また、図１に示すように、補助部材２０の横方向部材２２は、奥行方向に沿って内側縁、すなわち、通気用隙間４側の端縁が、立上がり壁部１の通気用隙間４側の側面１ａよりも外側に位置している。このため、横方向部材２２によって通気用隙間４の上部は塞がれておらず、横方向部材２２の内側縁よりも奥行き方向内側で、内方空間５と通気用隙間４とが連通して、充分な通気性を確保している。
【００４７】
また、内方空間５内では、笠木部材１０と補助部材２０との互いに向かい合う内壁に交互に設けられた複数の突出部によって、屈曲通路が形成されている。この屈曲通路によって、雨水の浸入をさらに防止している。
【００４８】
図１の屈曲通路の構成について説明すると、補助部材２０は、天板部１１の内面又は側板部１２の内面に向かって突出する第一のフィンＡを備える。ここでは、横方向部材２２の内側縁に設けた上向きの突出部３１が第一のフィンＡを構成している。
【００４９】
笠木部材１０は、補助部材２０の横方向部材２２に向かって突出する第二のフィンＢを備える。ここでは、天板部１１の下面に設けた下向きの突出部３２ａ，３２ｂが第二のフィンＢを構成している。
【００５０】
上向きの第一のフィンＡと下向きの第二のフィンＢとが奥行き方向に交互に配置され、その第一のフィンＡの上端よりも第二のフィンＢの下端の方が低く設定されているので、両者の間に通気用の屈曲通路が形成されている。
【００５１】
ここでは、第一のフィンＡは横方向部材２２の上面に形成され、第二のフィンＢは天板部１１の下面に形成されるようにしたが、第二のフィンＢは側板部１２の内面に形成されるようにしてもよい。また、補助部材２０に設けられる第一のフィンＡと、笠木部材１０に設けられる第二のフィンＢの数は自由に設定でき、図１のような奥行方向に沿う一つの断面において、第一のフィンＡを１つ、２つ、３つ、あるいはそれ以上としてもよいし、第二のフィンＢも１つ、２つ、３つ、あるいはそれ以上としてもよい。
【００５２】
このように、通気用隙間４を介して側面パネル３が取り付けられた立上り壁部１の上部を覆う笠木部材１０に、その笠木部材１０とは別部材からなる補助部材２０を固定し、その補助部材２０が備える隔壁部２４に形成された通気孔２３によって、笠木部材１０の下の内方空間５や通気用隙間４と外部の空間との間の通気を確保するようにした。これにより、内方空間５や通気用隙間４への雨水の浸入を、安価でシンプルな構造によって確実に防止している。
【００５３】
ここで、通気孔２３を備えた補助部材２０を笠木部材１０とを別部材としたことによって、部品構造の複雑化の防止、笠木装置を設置する際における作業の繁雑化の防止を実現している。笠木部材１０、笠木用取付具２、補助部材２０は、いずれも押出型材（例えば、アルミ押出型材）とすることができるので、上記の実施形態のような形態でも製造は容易である。仮に、笠木部材１０と補助部材２０とを別体とせず一体とすると、その製造は容易ではないと考えられる。
【００５４】
また、別部材である笠木部材１０と補助部材２０の両方に、互いに向かい合う突出部を形成することで、雨水の浸入を防止するための屈曲通路の形成を容易としている点も特徴の一つである。
【００５５】
なお、第一の実施形態の変形例として、第二の実施形態を図３（ａ）に示す。この第二の実施形態では、第一の実施形態における覆い部材２３ａの設置を省略している。通気孔２３に設けられる覆い部材２３ａの形状は自由に設定できるほか、笠木装置の仕様や設置場所の状況に応じて、雨水の浸入の危惧が少ない場合には、このように覆い部材２３ａの設置を省略することもできる。
【００５６】
また、さらなる変形例として、第三の実施形態を図３（ｂ）に示す。この第三の実施形態は、横方向部材２２を奥行方向内側へさらに延ばし、横方向部材２２によって通気用隙間４の上部を塞ぐとともに、その塞いだ部分に第二の通気孔２５を設けたものである。
【００５７】
すなわち、横方向部材２２の奥行方向内側縁は、立上がり壁部１の通気用隙間４側の側面１ａよりも奥行方向内側に位置して、立上り壁部１の上面１ｂに端部保持部２２ａを備えている。この延長された横方向部材２２に形成された第二の通気孔２５を通じて、内方空間５と通気用隙間４とが連通している。
【００５８】
このように、内方空間５と通気用隙間４との連通部を、第二の通気口２５とすることにより、雨水の浸入防止の効果をさらに高めることができる。
【００５９】
なお、この第三の実施形態では、笠木部材１０の対の係合爪１２ａ，１２ｂは、いずれも側板部１２の内面に設けられた態様としている。いずれの実施形態においても、対の係合爪１２ａ，１２ｂは、天板部１１の下面や側板部１２の内面等、笠木部材１０のいずれかの場所に設けることができる。
【００６０】
さらに、第四の実施形態を図４に示す。この第四の実施形態は、笠木部材１０に設けられる屈曲通路形成用の突出部３２ｄとして、その先端に雨水返し部Ｃを備えた第二のフィンＢを採用したものである。
【００６１】
第二のフィンＢは、側板部１２の内面から水平方向に突出するように形成されて、通気孔２３の上方を覆うように横方向へ伸びており、その第二のフィンＢの奥行き方向内側の端部に、下方に向かって突出する雨水返し部Ｃを備えている。雨水返し部Ｃによって、通気孔２３を通じて入り込んだ雨水は跳ね返されるので、それ以上、内方空間５の奥へは入りにくいようになっている。
【００６２】
笠木部材１０の断面形状については、図１〜図３の例のように、奥行方向中央を頂部として、その頂部から奥行方向両側へ向かって徐々に下方へ傾斜する両勾配形状とすることもできるし、図４の例のように、奥行方向一方の端部から他方の端部に向かって一方向に傾斜する片勾配形状としてもよい。
【符号の説明】
【００６３】
１  立上り壁部
２  笠木取付具
３  側面パネル
４  通気用隙間
５  内方空間
１０  笠木部材
１１  天板部
１２  側板部
２０  補助部材
２１  縦方向部材
２１ａ，２１ｂ  被係止部
２１ｃ  間隔保持部
２２  横方向部材
２２ａ  端部保持部
２３  通気孔
２３ａ  覆い部材
２４  隔壁部
２５  第二の通気孔
３１，３２ａ，３２ｂ，３２ｃ，３２ｄ  突出部
３３  屈曲部
Ａ  第一のフィン
Ｂ  第二のフィン
Ｃ  雨水返し部
Ｐ  シーリング材
【図１】
2017115473.tif 000003
【図２】
2017115473.tif 000004
【図３】
2017115473.tif 000005
【図４】
2017115473.tif 000006